(57)【要約】【課題】付箋紙印刷データの作成の手間を省くことができる印刷システム、印刷システムの制御方法を提供する。【解決手段】処理対象物に処理を施して結果物を作成する処理装置と、処理装置により作成された結果物に貼着するための付箋紙に、付箋紙印刷データに基づいて印刷を行う付箋紙プリンタと、処理装置および付箋紙プリンタに接続されると共にこれらを制御する制御装置と、から成る印刷システムの制御方法であって、処理装置の駆動状態を監視する処理装置監視手段と、処理装置監視工程において、処理装置が駆動開始または駆動終了したと判断した場合、付箋紙印刷データを作成するための付箋紙データ作成アプリケーションを起動するアプリ起動工程と、を備えたことを特徴とする。【選択図】図１０
2008102723.tif 000002
【特許請求の範囲】
【請求項１】
処理対象物に処理を施して結果物を作成する処理装置と、前記処理装置により作成された前記結果物に貼着するための付箋紙に、付箋紙印刷データに基づいて印刷を行う付箋紙プリンタと、前記処理装置および前記付箋紙プリンタに接続されると共にこれらを制御する制御装置と、から成る印刷システムであって、
前記制御装置は、
前記付箋紙印刷データを作成するための付箋紙データ作成アプリケーションを記憶するアプリ記憶部と、
前記処理装置の駆動状態を監視する処理装置監視手段と、
前記アプリ記憶部に記憶された前記付箋紙データ作成アプリケーションに基づいて、前記付箋紙印刷データを作成する付箋紙データ作成手段と、を備え、
前記処理装置監視手段は、前記処理装置が駆動開始および駆動終了のいずれか一方であると判断した場合、前記アプリ記憶部に記憶された前記付箋紙データ作成アプリケーションを起動することを特徴とする印刷システム。
【請求項２】
処理対象物に処理を施して結果物を作成する処理装置と、前記処理装置により作成された前記結果物に貼着するための付箋紙に、付箋紙印刷データに基づいて印刷を行う付箋紙プリンタと、前記処理装置および前記付箋紙プリンタに接続されると共にこれらを制御する制御装置と、から成る印刷システムであって、
前記制御装置は、
前記付箋紙印刷データを作成するための付箋紙データ作成アプリケーションを記憶するアプリ記憶部と、
前記アプリ記憶部に記憶された前記付箋紙データ作成アプリケーションに基づいて、前記付箋紙印刷データを作成する付箋紙データ作成手段と、を備え、
前記付箋紙データ作成手段は、前記付箋紙データ作成アプリケーションがバックグラウンドで動作している状態において、
前記処理装置の駆動状態を監視する処理装置監視手段と、
前記処理装置監視手段により前記処理装置が駆動開始および駆動終了のいずれか一方であると判断された場合、前記付箋紙データ作成アプリケーションの動作状態を、バックグラウンド動作状態からフォアグラウンド動作状態に移行させる動作移行手段と、を有していることを特徴とする印刷システム。
【請求項３】
前記処理装置は、用紙印刷データに基づいて用紙に印刷を行う印刷装置であり、
前記制御装置は、前記用紙印刷データを取得する用紙データ取得手段と、取得した前記用紙印刷データを前記印刷装置に伝送する用紙データ伝送手段と、を更に備え、
前記付箋紙データ作成手段は、伝送した前記用紙印刷データのファイル名を取得するファイル名取得手段と、前記ファイル名取得手段により取得した前記ファイル名を、作成される前記付箋紙印刷データに挿入可能に構成されたファイル名挿入手段と、を有していることを特徴とする請求項１または２に記載の印刷システム。
【請求項４】
前記制御装置は、前記付箋紙に印刷するための複数のテンプレートを記憶するテンプレート記憶部を更に備え、
前記付箋紙データ作成手段は、記憶された前記複数のテンプレートから任意の１のテンプレートを選択するためのテンプレート選択手段を有していることを特徴とする請求項１ないし３のいずれかに記載の印刷システム。
【請求項５】
前記付箋紙データ作成手段は、作成した前記付箋紙印刷データを、新たなテンプレートとして前記テンプレート記憶部に登録するテンプレート登録手段を、更に有していることを特徴とする請求項４に記載の印刷システム。
【請求項６】
前記付箋紙データ作成手段は、前記付箋紙データ作成アプリケーションの起動時において、前記テンプレート登録手段により登録した前記テンプレートを前記付箋紙に印刷するか否かを選択するテンプレート印刷選択手段を、更に有していることを特徴とする請求項５に記載の印刷システム。
【請求項７】
処理対象物に処理を施して結果物を作成する処理装置と、前記処理装置により作成された前記結果物に貼着するための付箋紙に、付箋紙印刷データに基づいて印刷を行う付箋紙プリンタと、前記処理装置および前記付箋紙プリンタに接続されると共にこれらを制御する制御装置と、から成る印刷システムの制御方法であって、
前記処理装置の駆動状態を監視する処理装置監視手段と、
前記処理装置監視工程において、前記処理装置が駆動開始および駆動終了のいずれか一方であると判断した場合、前記付箋紙印刷データを作成するための付箋紙データ作成アプリケーションを起動するアプリ起動工程と、を備えたことを特徴とする印刷システムの制御方法。
【請求項８】
処理対象物に処理を施して結果物を作成する処理装置と、前記処理装置により作成された前記結果物に貼着するための付箋紙に、付箋紙印刷データに基づいて印刷を行う付箋紙プリンタと、前記処理装置および前記付箋紙プリンタに接続されると共にこれらを制御する制御装置と、から成る印刷システムの制御方法であって、
前記処理装置の駆動状態を監視する処理装置監視手段と、
前記処理指令監視工程において、前記処理装置が駆動開始および駆動終了のいずれか一方であると判断した場合、前記付箋紙印刷データを作成するための付箋紙データ作成アプリケーションを、バックグラウンド動作状態からフォアグラウンド動作状態に移行させる動作移行工程と、を備えたことを特徴とする印刷システムの制御方法。
【発明の詳細な説明】
【技術分野】
【０００１】
本発明は、制御装置に接続された付箋紙プリンタおよび処理装置を、制御装置により制御する印刷システム、印刷システムの制御方法に関するものである。
【背景技術】
【０００２】
従来、この種の印刷システムとして、付箋紙プリンタと、これに接続されたパソコンとから成るものが知られている（特許文献１参照）。この印刷システムでは、パソコンにより作成した印刷データに基づいて、付箋紙プリンタにより付箋紙に所望の印刷を行う。
【特許文献１】特開２００３−２１２３６７号公報
【発明の開示】
【発明が解決しようとする課題】
【０００３】
ところで、パソコンには、付箋紙プリンタのみならず、汎用プリンタや外付けＦＤＤ等の処理装置が接続される場合がある。このとき、上記の印刷システムにおいて、例えば、これらの処理装置により作成された結果物（汎用プリンタであれば文書、ＦＤＤであればフレキシブルディスク）に対し、付箋紙プリンタにより作成した付箋紙を貼着する場合、ユーザは、パソコン上において、処理装置により処理を行うためのアプリケーションと、印刷データを作成するためのアプリケーションと、を手動により別々に起動させて、結果物および付箋紙を作成することとなる。このため、ユーザにとって、各アプリケーションを別々に手動で起動することは、煩雑な作業となる問題がある。
【０００４】
本発明は、付箋紙印刷データの作成の手間を省くことができる印刷システム、印刷システムの制御方法を提供することを課題とする。
【課題を解決するための手段】
【０００５】
本発明の印刷システムは、処理対象物に処理を施して結果物を作成する処理装置と、処理装置により作成された結果物に貼着するための付箋紙に、付箋紙印刷データに基づいて印刷を行う付箋紙プリンタと、処理装置および付箋紙プリンタに接続されると共にこれらを制御する制御装置と、から成る印刷システムであって、制御装置は、付箋紙印刷データを作成するための付箋紙データ作成アプリケーションを記憶するアプリ記憶部と、処理装置の駆動状態を監視する処理装置監視手段と、アプリ記憶部に記憶された付箋紙データ作成アプリケーションに基づいて、付箋紙印刷データを作成する付箋紙データ作成手段と、を備え、処理装置監視手段は、処理装置が駆動開始および駆動終了のいずれか一方であると判断した場合、アプリ記憶部に記憶された付箋紙データ作成アプリケーションを起動することを特徴とする。
【０００６】
また、本発明の印刷システムの制御方法は、処理対象物に処理を施して結果物を作成する処理装置と、処理装置により作成された結果物に貼着するための付箋紙に、付箋紙印刷データに基づいて印刷を行う付箋紙プリンタと、処理装置および付箋紙プリンタに接続されると共にこれらを制御する制御装置と、から成る印刷システムの制御方法であって、処理装置の駆動状態を監視する処理装置監視手段と、処理装置監視工程において、処理装置が駆動開始および駆動終了のいずれか一方であると判断した場合、付箋紙印刷データを作成するための付箋紙データ作成アプリケーションを起動するアプリ起動工程と、を備えたことを特徴とする。
【０００７】
この構成によれば、処理装置が駆動を開始または駆動が終了すると、これをトリガとして、付箋紙データ作成アプリケーションが自動的に起動する。このため、ユーザは、手動で付箋紙データ作成アプリケーションを起動する手間を省くことができ、付箋紙の作成を直ぐに行なうことができる。
【０００８】
本発明の他の印刷システムは、処理対象物に処理を施して結果物を作成する処理装置と、処理装置により作成された結果物に貼着するための付箋紙に、付箋紙印刷データに基づいて印刷を行う付箋紙プリンタと、処理装置および付箋紙プリンタに接続されると共にこれらを制御する制御装置と、から成る印刷システムであって、制御装置は、付箋紙印刷データを作成するための付箋紙データ作成アプリケーションを記憶するアプリ記憶部と、アプリ記憶部に記憶された付箋紙データ作成アプリケーションに基づいて、付箋紙印刷データを作成する付箋紙データ作成手段と、を備え、付箋紙データ作成手段は、付箋紙データ作成アプリケーションがバックグラウンドで動作している状態において、処理装置の駆動状態を監視する処理装置監視手段と、処理装置監視手段により処理装置が駆動開始および駆動終了のいずれか一方であると判断された場合、付箋紙データ作成アプリケーションの動作状態を、バックグラウンド動作状態からフォアグラウンド動作状態に移行させる動作移行手段と、を有していることを特徴とする。
【０００９】
また、本発明の他の印刷システムの制御方法は、処理対象物に処理を施して結果物を作成する処理装置と、処理装置により作成された結果物に貼着するための付箋紙に、付箋紙印刷データに基づいて印刷を行う付箋紙プリンタと、処理装置および付箋紙プリンタに接続されると共にこれらを制御する制御装置と、から成る印刷システムの制御方法であって、処理装置の駆動状態を監視する処理装置監視手段と、処理指令監視工程において、処理装置が駆動開始および駆動終了のいずれか一方であると判断した場合、付箋紙印刷データを作成するための付箋紙データ作成アプリケーションを、バックグラウンド動作状態からフォアグラウンド動作状態に移行させる動作移行工程と、を備えたことを特徴とする。
【００１０】
この構成によれば、処理装置が駆動を開始または駆動が終了すると、これをトリガとして、付箋紙データ作成アプリケーションがバックグラウンド動作状態からフォアグラウンド動作状態に自動的に移行する。これにより、ユーザは、手動で付箋紙データ作成アプリケーションをフォアグラウンド動作状態に移行する手間を省くことができるため、付箋紙の作成を直ぐに行なうことができる。
【００１１】
この場合、処理装置は、用紙印刷データに基づいて用紙に印刷を行う印刷装置であり、制御装置は、用紙印刷データを取得する用紙データ取得手段と、取得した用紙印刷データを印刷装置に伝送する用紙データ伝送手段と、を更に備え、付箋紙データ作成手段は、伝送した用紙印刷データのファイル名を取得するファイル名取得手段と、ファイル名取得手段により取得したファイル名を、作成される付箋紙印刷データに挿入可能に構成されたファイル名挿入手段と、を有していることが、好ましい。
【００１２】
この構成によれば、付箋紙データ作成手段による付箋紙印刷データの作成中に、印刷装置により印刷された文書のファイル名を取得し、このファイル名を付箋紙印刷データに挿入することができる。このため、ファイル名を入力する手間を省くことができると共に、印刷装置により印刷された文書に対応するファイル名を印刷した付箋紙を作成することができる。
【００１３】
この場合、制御装置は、付箋紙に印刷するための複数のテンプレートを記憶するテンプレート記憶部を更に備え、付箋紙データ作成手段は、記憶された複数のテンプレートから任意の１のテンプレートを選択するためのテンプレート選択手段を有していることが、好ましい。
【００１４】
この構成によれば、選択したテンプレートに基づいて、付箋紙印刷データを作成することができるため、付箋紙印刷データを作成する手間を、更に省くことができる。
【００１５】
この場合、付箋紙データ作成手段は、作成した付箋紙印刷データを、新たなテンプレートとしてテンプレート記憶部に登録するテンプレート登録手段を、更に有していることが、好ましい。
【００１６】
この構成によれば、頻繁に使用する付箋紙印刷データを新たにテンプレートとして登録することで、印刷システム自体の汎用性を向上させることができる。
【００１７】
この場合、付箋紙データ作成手段は、付箋紙データ作成アプリケーションの起動時において、テンプレート登録手段により登録したテンプレートを付箋紙に印刷するか否かを選択するテンプレート印刷選択手段を、更に有していることが、好ましい。
【００１８】
この構成によれば、例えば、多用するテンプレートを予め登録しておけば、付箋紙データ作成アプリケーションの起動時に、登録したテンプレートを印刷するか否かを選択するだけで、所望の付箋紙を簡単に作成することができる。
【発明を実施するための最良の形態】
【００１９】
以下、添付の図面を参照して、本実施形態に係る印刷システムについて説明する。この印刷システムは、パソコンで作成した用紙印刷データに基づいて、汎用プリンタ（処理装置）により用紙（処理対象物）に印刷を行って文書（結果物）を作成し、作成した文書に貼着するために、作成した文書に関連するメッセージ等を印刷した印刷済み付箋紙を作成するものである。
【００２０】
図１に示すように、印刷システム１は、付箋紙束Ｈがセットされる付箋紙プリンタ２と、用紙がセットされる汎用プリンタ３と、付箋紙プリンタ２および汎用プリンタ３にインターフェースを介して、有線または無線接続され、付箋紙Ｈ１に印刷するための付箋紙印刷データおよび用紙に印刷するための用紙印刷データを作成・編集すると共に、付箋紙プリンタ２および汎用プリンタの各種駆動を制御するパソコン４とから構成されている。
【００２１】
パソコン４は、パソコン本体３０と、パソコン本体３０に接続され、データを入力するキーボード３１およびマウス３２と、入力結果等を表示するディスプレイ３３とを有している。パソコン本体３０は、その内部に、ＣＰＵと、ＲＯＭと、ＲＡＭと、ＨＤＤと、ＣＤドライブと、を有しており、ＣＤドライブには、付箋紙印刷データを作成する付箋紙データ作成アプリケーション４０、付箋紙プリンタ２を駆動するデバイスドライバおよび付箋紙に印刷するための複数のテンプレート等の各種データやプログラムを記憶したＣＤ−ＲＯＭ３４が着脱自在にセットされる。そして、パソコン４のＨＤＤ内には、ＣＤ−ＲＯＭ３４の各種データやプログラムがインストールされており、ＨＤＤは、付箋紙データ作成アプリケーション４０を記憶するアプリ記憶部４１（図９参照）と、複数のテンプレートを記憶するテンプレート記憶部４２（図９参照）とを有している。このため、付箋紙データ作成アプリケーション４０を起動した状態において、キーボード３１等から各種検出信号、各種指令、各種データ等が入力され、印刷ボタン５６をクリックすると、パソコン４は、インストールされたプログラムに従って、各種データを処理し、付箋紙プリンタ２を制御して、付箋紙Ｈ１に印刷を行うようになっている。また、パソコン４のＨＤＤ内には、汎用プリンタ３を駆動するデバイスドライバ等が記憶されている。
【００２２】
汎用プリンタ３は、パソコン４から汎用プリンタ３へ印刷指令（処理指令）および用紙印刷データが入力されると、用紙印刷データに基づいて、セットした用紙に印刷を行うよう構成されている。この場合、汎用プリンタ３は、サーマル方式、インクジェット方式または電子写真方式等のいずれであってもよい。
【００２３】
図２に示すように、付箋紙プリンタ２は、外殻を成す装置ケース１１と、装置ケース１１内部に格納され、装置ケース１１内部にセットした付箋紙束Ｈから付箋紙Ｈ１を引き剥がしながら印刷を行う印刷部アッセンブリ１２と、を備えている。
【００２４】
付箋紙束Ｈは、裏面の基端部を部分糊付けした長方形状の複数枚の付箋紙Ｈ１を積層した市販のものである（図３参照）。付箋紙Ｈ１は、付箋紙束Ｈから１枚ずつ剥離され、剥離後に、この基端部の糊付け部を介して、レターヘッドや手帳等に貼着される。
【００２５】
装置ケース１１は、全体として小型に形成されており、装置ケース１１の下部前面には、付箋紙トレイ２０を装置ケース１１内部に前方から引出し式で導入するためのトレイ導入開口１４が形成されている。装置ケース１１の上部前面中央には、印刷済み付箋紙Ｈ１を装置ケース１１外部に送り出すための水平スリット状の排出口１５と、排出口１５を境に装置ケース１１内部から装置ケース１１外部へ延在し、引き剥がされた印刷済み付箋紙Ｈ１を受け留める受け部１６と、が形成されている。また、装置ケース１１の上面には、リボンカートリッジＣの着脱やメンテナンスのための開閉蓋１８が取り付けられている。
【００２６】
図３に示すように、印刷部アッセンブリ１２は、付箋紙束Ｈをセットする付箋紙トレイ２０と、セットした付箋紙束Ｈの最上位の付箋紙Ｈ１を捲上げ位置２３において捲り上げた後、付箋紙Ｈ１を引き剥がして排出するピックアップローラ２５と、ピックアップローラ２５により送られてゆく付箋紙Ｈ１に印刷を行うサーマルヘッド２６と、ピックアップローラ２５を捲上げ位置２３とサーマルヘッド２６に接触する印刷位置２４との間で移動させるローラアーム２７と、インクリボンＲを収容したリボンカートリッジＣと、を有している。つまり、ピックアップローラ２５は、サーマルヘッド２６に対峙するプラテンローラとしての役割も兼ねている。
【００２７】
印刷部アッセンブリ１２は、付箋紙トレイ２０にセットされた付箋紙束Ｈに対し、ピックアップローラ２５を捲上げ位置２３に臨ませて、最上位の付箋紙Ｈ１を捲り上げ、この状態でローラアーム２７によりピックアップローラ２５を印刷位置２４に移動させる。すると、印刷位置２４に移動したピックアップローラ２５は、捲り上げた付箋紙Ｈ１と装着したリボンカートリッジＣから繰り出されるインクリボンＲとを、サーマルヘッド２６と共に挟み込み、ピックアップローラ２５により付箋紙Ｈ１を排出口１５に向かって送ると共に、送られてゆく付箋紙Ｈ１にサーマルヘッド２６によりインクリボンＲのインクを熱転写している。
【００２８】
ここで、図４を参照して、アプリ記憶部４１に記憶された付箋紙データ作成アプリケーション４０について説明する。パソコン４により付箋紙データ作成アプリケーション４０を起動すると、ディスプレイ３３には、デフォルト画面となる付箋紙作成画面５０が表示される。この付箋紙作成画面５０は、不使用状態においては、バックグラウンドで動作可能となっており、また、使用状態においては、バックグラウンド動作状態から、フォアグラウンド動作状態に移行させて表示するよう構成されている。つまり、ディスプレイ上に付箋紙作成画面５０が表示されている状態が使用状態で、付箋紙作成画面５０が表示されていない状態が不使用状態である。
【００２９】
付箋紙作成画面５０は、画面中央に広く設けられ、キーボード３１から付箋紙Ｈ１に印刷する所望のメッセージを入力する入力領域５１と、画面右上に設けられ、付箋紙データ作成アプリケーション４０を終了させる終了ボタン５２と、画面上中央に設けられ、テンプレート記憶部４２に記憶された複数のテンプレートを呼び出すテンプレートボタン５３と、画面左下に設けられ、日時を入力領域５１に挿入する日時挿入ボタン５４と、画面下中央に設けられ、汎用プリンタ３により印刷したファイル名５７を入力領域５１に挿入するファイル名挿入ボタン５５と、画面右下に設けられ、付箋紙プリンタ２により印刷を行う印刷ボタン５６と、を有している。
【００３０】
付箋紙作成画面５０の入力領域５１に、キーボード３１から所望のメッセージ（キャラクタ列）が入力された状態で、印刷ボタン５６をクリックすると、付箋紙プリンタ２は、入力領域に入力されたキャラクタ列を付箋紙Ｈ１に印刷する。
【００３１】
テンプレートボタン５３は、複数のテンプレートの中から所望のテンプレートを選択するものであり、テンプレートボタン５３をクリックすると、リストボックス６０が表示され、リストボックス内には、複数のテンプレートの項目が選択可能に表示されている（図５参照）。複数のテンプレートの項目としては、「ＴＥＬ」、「確認」、「回覧」、「テンプレート作成」等の項目があり、「ＴＥＬ」の項目を選択すると、図６（ａ）に示すように、電話メモに関する付箋紙印刷データが呼び出され、「確認」の項目を選択すると、図６（ｂ）に示すように、確認メモに関する付箋紙印刷データが呼び出され、また、「回覧」の項目を選択すると、図６（ｃ）に示すように、回覧メモに関する付箋紙印刷データが呼び出される。ここで、「テンプレート作成」の項目を選択すると、ディスプレイ３３には、テンプレート作成画面６１が表示され、ユーザが作成したテンプレートを新たに登録することが可能となっている。
【００３２】
図７に示すように、テンプレート作成画面６１は、画面上方に設けられ、作成するテンプレート名６２を入力するテンプレート名入力領域５１と、画面中央に広く設けられ、作成するテンプレートの内容を入力する内容入力領域６４と、画面右上に設けられ、テンプレートの作成をキャンセルするキャンセルボタン６５と、画面右下に設けられ、作成したテンプレートを登録するテンプレート登録ボタン６６と、を有している。
【００３３】
テンプレート名入力領域５１および内容入力領域６４に所望のキャラクタ列を入力して、テンプレート登録ボタン６６をクリックすると、新たなテンプレートがテンプレート記憶部４２に記憶されると共に、リストボックス６０には、新たなテンプレート名６２が表示される。
【００３４】
テンプレート作成画面６１により所望のテンプレートを登録すると、付箋紙データ作成アプリケーション４０の起動時において、登録したテンプレートを付箋紙Ｈ１に印刷するか否かを選択するテンプレート印刷選択画面６７が表示される（図８参照）。テンプレート印刷選択画面６７は、「はい」と「いいえ」と「編集」との選択肢があり、「はい」を選択すると、登録したテンプレートに基づいて、付箋紙プリンタ２により付箋紙Ｈ１に印刷が行われる。「いいえ」を選択すると、テンプレート印刷選択画面６７が閉じる。「編集」を選択すると、所望の付箋紙印刷データを作成すべく付箋紙作成画面５０が表示される。
【００３５】
ここで、本実施形態の印刷システム１では、付箋紙に印刷するための付箋紙印刷データの作成の手間を省くべく、汎用プリンタ３による用紙への印刷の終了をトリガとして、上記の付箋紙データ作成アプリケーション４０がバックグラウンド動作状態から、ポップアップして、フォアグラウンド動作状態に移行するよう構成されている。以下、図９を参照して、これについて説明する。
【００３６】
印刷システムのパソコン４は、付箋紙印刷データを作成する付箋紙データ作成手段８０と、汎用プリンタ３により用紙に印刷を行うための用紙印刷データを取得する用紙データ取得手段８１と、取得した用紙印刷データを汎用プリンタ３に出力する用紙データ伝送手段８２と、を有している。用紙データ取得手段８１は、パソコン４により作成された用紙印刷データや、用紙印刷データが記憶された外部記憶媒体から、インターフェースを介して用紙印刷データを取得するものである。
【００３７】
付箋紙データ作成手段８０は、付箋紙データ作成アプリケーション４０の付箋紙作成画面５０において入力された入力データに基づいて、パソコン４がＣＰＵやＲＡＭを介して、付箋紙データ作成アプリケーション４０のプログラムに従って処理を行い、付箋紙印刷データを作成する。付箋紙データ作成手段８０は、汎用プリンタ３の駆動状態を監視する印刷装置監視手段（処理装置監視手段）８３と、印刷装置監視手段８３により汎用プリンタ３の駆動が終了したと判断された場合、付箋紙データ作成アプリケーション４０の動作状態を、バックグラウンド動作状態から、ポップアップさせて、フォアグラウンド動作状態に移行させる動作移行手段８４とを有している。
【００３８】
付箋紙データ作成アプリケーション４０がバックグラウンドで動作した状態において、汎用プリンタ３からパソコン４へ、印刷終了信号が入力されると、パソコン４の印刷装置監視手段８３は、動作移行手段８４を起動させ、付箋紙作成画面５０をディスプレイ３３上にポップアップさせる。
【００３９】
また、付箋紙データ作成手段８０は、用紙データ伝送手段８２により伝送した用紙印刷データのファイル名５７を取得するファイル名取得手段８５と、取得したファイル名５７を付箋紙作成データに挿入するファイル名挿入手段８６と、を有している。すなわち、付箋紙作成画面５０におけるファイル名挿入ボタン５５をクリックすると、ファイル名取得手段８５がファイル名５７を取得すると共に、ファイル名挿入手段８６により、取得したファイル名を付箋紙作成画面５０の入力領域５１に挿入する。
【００４０】
さらに、付箋紙データ作成手段８０は、複数のテンプレートが記憶されたテンプレート記憶部４２から所望のテンプレートを選択するテンプレート選択手段９０と、新たなテンプレートを作成し、これを登録するテンプレート登録手段９１と、登録したテンプレートを、付箋紙データ作成アプリケーション４０の起動時において、印刷するか否かを選択するテンプレート印刷選択手段９２と、を有している。
【００４１】
具体的に説明すると、テンプレート選択手段９０は、リストボックス６０に表示された複数のテンプレートの項目であり、所望の項目をクリックすることで、所望の付箋紙印刷データのテンプレートを用いることができる。また、テンプレート登録手段９１は、テンプレート作成画面６１において所望の付箋紙作成データが作成されると共に、テンプレート登録ボタン６６をクリックすることで、作成したテンプレートがテンプレート記憶部４２に登録される。テンプレート印刷選択手段９２は、テンプレート印刷選択画面６７において、各選択肢を選択することにより、所望の処理がなされるよう構成されている。なお、上記した各手段は、付箋紙データ作成アプリケーション４０のプログラムに基づいて、ＣＰＵ、ＲＡＭやＨＤＤ内の各種データが処理されることで、実現されている。
【００４２】
次に、図１０を参照して、付箋紙データ作成アプリケーション４０をバックグラウンド動作状態から、フォアグラウンド動作状態に移行させる一連の動作フローについて説明する。
【００４３】
パソコン４上において、付箋紙データ作成アプリケーション４０がバックグラウンドで動作している状態において、用紙印刷データを汎用プリンタ３へ伝送し、用紙の印刷を行う（Ｓ１）。そして、汎用プリンタ３の印刷が終了する（Ｓ２）と、付箋紙データ作成アプリケーション４０がバックグラウンド動作状態から、ポップアップしてフォアグラウンド動作状態、すなわち付箋紙作成画面５０をディスプレイ３３上に表示する（Ｓ３）。この後、ユーザは、付箋紙Ｈ１の作成を行なう場合は、付箋紙作成画面５０上において所望のメッセージを入力し（Ｓ５）、一方、付箋紙Ｈ１の作成を行なわない場合は、キャンセルボタン６５をクリックして、付箋紙作成画面５０を閉じる（Ｓ４）。Ｓ５にて、所望のメッセージを入力して、印刷ボタン５６をクリックすると、所望のメッセージが印刷された付箋紙Ｈ１を得ることができる（Ｓ６）。
【００４４】
以上の構成によれば、汎用プリンタ３が駆動を終了すると、これをトリガとして、付箋紙データ作成アプリケーション４０が自動的にポップアップして、フォアグランド動作状態となる。このため、ユーザは、手動で付箋紙データ作成アプリケーション４０をフォアグランド動作状態とする手間を省くことができ、付箋紙の作成を直ぐに行なうことができる。なお、本実施形態では、汎用プリンタ３の駆動終了をトリガとして、付箋紙データ作成アプリケーション４０をフォアグランド動作状態としたが、汎用プリンタ３の駆動開始をトリガとして、付箋紙データ作成アプリケーション４０をフォアグランド動作状態としてもよい。
【００４５】
次に、第２実施形態に係る印刷システム１について説明する。なお、重複した記載を避けるべく、異なる部分についてのみ説明する。この印刷システム１は、付箋紙データ作成アプリケーション４０と、別途となる印刷装置監視アプリケーションが設けられている。すなわち、付箋紙データ作成アプリケーション４０が起動していない状態において、汎用プリンタ３が印刷駆動を終了すると、印刷装置監視アプリケーションにより、付箋紙データ作成アプリケーション４０が自動で起動する構成となっている。
【００４６】
つまり、図１１に示すように、用紙印刷データを汎用プリンタ３へ伝送して用紙への印刷を開始（Ｓ１１）し、用紙の印刷を行った後、汎用プリンタ３の印刷が終了（Ｓ１２）すると、印刷装置監視アプリケーションは、これをトリガとして、付箋紙データ作成アプリケーション４０を起動（Ｓ１３）させ、付箋紙作成画面５０をディスプレイ３３上に表示する。この後、ユーザは、付箋紙の作成を行なう場合は、付箋紙作成画面５０上において所望のメッセージを入力して付箋紙Ｈ１に印刷を行い（Ｓ１５）、一方、付箋紙Ｈ１の作成を行なわない場合は、キャンセルボタン６５をクリック（Ｓ１６）して、付箋紙作成画面５０を閉じる（Ｓ１４）。
【００４７】
以上の構成においても、汎用プリンタ３の駆動終了をトリガとして、付箋紙データ作成アプリケーション４０を自動的に起動させることができる。このため、ユーザは、手動で付箋紙データ作成アプリケーション４０を起動する手間を省くことができ、付箋紙Ｈ１の作成を直ぐに行なうことができる。
【図面の簡単な説明】
【００４８】
【図１】本実施形態に係る印刷システムの模式図である。
【図２】付箋紙プリンタの外観斜視図である。
【図３】付箋紙プリンタの断面模式図である。
【図４】ディスプレイに表示された付箋紙作成画面の説明図である。
【図５】テンプレートボタンをクリックした付箋紙作成画面の説明図である。
【図６】テンプレートにより作成された付箋紙の平面図である。
【図７】テンプレート作成画面の説明図である。
【図８】テンプレート印刷選択画面の説明図である。
【図９】印刷システムの機能ブロック図である。
【図１０】印刷システムの一連の動作フロー図である。
【図１１】第２実施形態に係る印刷システムの一連の動作フロー図である。
【符号の説明】
【００４９】
１…印刷システム  ２…付箋紙プリンタ  ３…汎用プリンタ  ４…パソコン  ４０…付箋紙データ作成アプリケーション  ４１…アプリ記憶部  ４２…テンプレート記憶部  ８０…付箋紙データ作成手段  ８１…用紙データ取得手段  ８２…用紙データ伝送手段  ８３…印刷装置監視手段  ８４…動作移行手段  ８５…ファイル名取得手段  ８６…ファイル名挿入手段  ９０…テンプレート選択手段  ９１…テンプレート登録手段  ９２…テンプレート印刷選択手段  Ｈ１…付箋紙
【図１】
2008102723.tif 000003
【図２】
2008102723.tif 000004
【図３】
2008102723.tif 000005
【図４】
2008102723.tif 000006
【図５】
2008102723.tif 000007
【図６】
2008102723.tif 000008
【図７】
2008102723.tif 000009
【図８】
2008102723.tif 000010
【図９】
2008102723.tif 000011
【図１０】
2008102723.tif 000012
【図１１】
2008102723.tif 000013